(57)【要約】【課題】引き戸において、引き戸の開閉時に摺動させる戸板と、この戸板に隣接する他の戸板あるいは壁との間の隙間で手を挟むことなく安全に開閉できる引手および該引手を備えた引き戸を提供する。【解決手段】戸板２において、木口面２ａから戸板表面２ｂにかけて形成する切欠部２ｃに、切欠部２ｃの形状に合致する引手４を嵌め込み、ネジ固定する。引手４は、木口面２ａ側および戸板表面２ｂ側に開口し、戸板表面２ｂと略平行に形成された引手底部４１と、引手底部４１の木口面２ａ側端部に、戸板２の上下方向に沿って全領域に、引手底部４１の木口面２ａ側端部から突出して形成された引手段部４２と、引手底部４１の木口面２ａ側端部と反対側の端部の上下方向全領域から、引手底部４１に対して鈍角を形成するように傾斜して伸びる引手テーパ面４３とを有する。【選択図】図１
0003173960.tif 000002
【実用新案登録請求の範囲】
【請求項１】
引き戸の戸板の木口面から戸板表面にかけて形成された切欠部に、該切欠部の形状に沿って設けられる、前記木口面側および戸板表面側に開口した引手であって、
該引手は、
前記戸板表面と略平行な方向に沿って形成された引手底部と、前記引手底部の木口面側端部に、前記戸板の上下方向に沿って前記引手底部から突出して形成された引手段部と、前記引手底部の木口面側端部と反対側の端部から、前記引手底部に対して鈍角を形成するように傾斜して伸びる引手テーパ面とを有することを特徴とする引手。
【請求項２】
前記引手段部は、前記引手テーパ面側に段部垂直面が形成されている請求項１記載の引手。
【請求項３】
前記引手段部は、前記木口面に向かうにつれて前記引手段部の高さが低くなるように傾斜した段部テーパ面が形成されている請求項１または２記載の引手。
【請求項４】
前記引手テーパ面は、引っ掛かり部を有する請求項１〜３のいずれか１項に記載の引手。
【請求項５】
前記鈍角は、１２０°〜１５０°である請求項１〜４のいずれか１項に記載の引手。
【請求項６】
開口部に取り付けられ、摺動自在な１または複数の戸板を備える引き戸であって、
前記戸板は、該戸板の木口面から戸板表面にかけて形成された切欠部に、請求項１〜５のいずれか１項に記載の引手が設けられてなる引き戸。
【考案の詳細な説明】
【技術分野】
【０００１】
本考案は、引手と、該引手を備え、住宅や公共施設など、種々の建築物の開口部に取り付けられる引き戸に関するものである。
【背景技術】
【０００２】
引手を備えた引き戸は、摺動自在な１または複数の戸板を備えている。このような引手を備えた引き戸としては、例えば、特許文献１に開示された引き戸がある。この引き戸について、図９（ａ）、図９（ｂ）を参照して以下に説明する。
【０００３】
この引き戸１００は、互いに摺動自在な２つの障子１２０、１３０を含み、障子１２０を障子１３０側へ摺動させることにより開けることができる。障子１２０の先端部の表面１２３（引き戸１００を開けるために障子１２０を摺動させた際に、障子１３０に対向する表面）に、戸先框１２１を介して引手１２２が取り付けられている。また、障子１３０において、引き戸１００を開けるために障子１２０を摺動させた際に障子１２０と対向する側の先端部には、この先端部を囲むように内召し合わせ框１３１が取り付けられている。
【０００４】
障子１２０の引手１２２は、略Ｌ字形状をなし、底部１２２ｃと、底部１２２ｃのうち障子中央側（図９（ａ）（ｂ）の右側）の一方の端部から障子１２０と直交する方向に突出する指掛け部１２２ａと、底部１２２ｃの他方の端部から、引手１２２の障子摺動方向（図９（ａ）、（ｂ）の左右方向）における寸法が大きくなるように傾斜して伸びる傾斜部１２２ｂとを有する。引き戸１００を開けるのは、図９（ａ）に示すように、引手１２２の指掛け部１２２ａに指Ｆを掛けて、障子１２０を矢印Ｏで示す方向に摺動させて図９（ｂ）に示す状態にし、図９（ｂ）に矢印Ｐで示すように引手１２２と障子１３０との間の隙間から指Ｆを引き抜くことで可能である。障子１２０の引手１２２と障子１３０の内召し合わせ框１３１との間の隙間は間隔Ｘが確保されており、指Ｆが挿入しやすい十分な大きさに設定されている。
【先行技術文献】
【特許文献】
【０００５】
【特許文献１】特開２０１０−２８５８３６号公報
【考案の概要】
【考案が解決しようとする課題】
【０００６】
しかしながら、図９（ａ）、（ｂ）に示した引用文献１に開示された引き戸１００の場合、障子１２０を開ける際、指Ｆを障子１２０の引手１２２と障子１３０の内召し合わせ框１３１との間の隙間に入れるため、この隙間の間隔Ｘが小さい場合、障子１２０の引手１２２と障子１３０の内召し合わせ框１３１との間で指Ｆを挟んでしまったり、指の関節を痛めてしまったりするおそれがある。また、指Ｆを挟まないように間隔Ｘを大きくした場合、引き戸１００自体の配置スペースが大きくなるため、引き戸１００は、配置スペースの種々の要求に応えるのが困難である。
【０００７】
本考案は上記の事情に鑑みてなされたものであり、引き戸において、引き戸の開閉時に摺動させる戸板と、この戸板に隣接する他の戸板あるいは壁との間の隙間で手を挟むことなく安全に開閉できる引手および該引手を備えた引き戸を提供することを目的とする。
【課題を解決するための手段】
【０００８】
上記課題を解決するための本考案の引手は、引き戸の戸板の木口面から戸板表面にかけて形成された切欠部に、該切欠部の形状に沿って設けられる、前記木口面側および戸板表面側に開口した引手であって、該引手は、前記戸板表面と略平行に形成された引手底部と、前記引手底部の木口面側端部に、前記戸板の上下方向に沿って前記引手底部から突出して形成された引手段部と、前記引手底部の木口面側端部と反対側の端部から、前記引手底部に対して鈍角を形成するように傾斜して伸びる引手テーパ面とを有することを特徴とする。
【０００９】
また、本考案の引手は、前記引手段部は、前記引手テーパ面側の端部に段部垂直面が形成されているのが好ましい。
【００１０】
また、本考案の引手は、前記引手段部は、前記木口面に向かうにつれて前記引手段部の高さが低くなるように傾斜した段部テーパ面が形成されているのが好ましい。
【００１１】
また、本考案の引手は、前記引手テーパ面は、引っ掛かり部を有するのが好ましい。
【００１２】
また、本考案の引手は、前記鈍角は、１２０°〜１５０°であるのが好ましい。
【００１３】
前記の課題を解決するための本考案の引き戸は、開口部に取り付けられ、摺動自在な１または複数の戸板を備える引き戸であって、前記戸板は、該戸板の木口面から戸板表面にかけて形成された切欠部に、上記した本考案にかかる引手が設けられてなる。
【考案の効果】
【００１４】
本考案の引手および該引手を備えた引き戸によれば、引き戸を開けるために戸板の引手の引手テーパ面に手を掛けた際、指先から手首にかけて、手は、引手テーパ面に沿うように置かれるため、引き戸を開けるために戸板を摺動させた際、戸板の引手の引手テーパ面に掛けていた手は、引手から自然に引き抜くことができるため、摺動させる戸板と、この戸板に隣接する戸板あるいは壁との間の隙間に手の指先が入り込むのを防止できる。そのため、摺動する戸板に手の指先が巻き込まれて、摺動させる戸板と、この戸板に隣接する戸板あるいは壁との間で手が挟まれたり、手指の関節を痛めたりするのを確実に防止できる。
【図面の簡単な説明】
【００１５】
【図１】本考案の第１の実施形態を示す引き戸の斜視図である。
【図２】図１に示す引手の斜視図である。
【図３】図１に示す引手の平面図である。
【図４】図１に示す引き戸の戸板および引手の拡大断面図である
【図５】図１に示す引き戸を開ける際の戸板の摺動操作を説明するためのもので、（ａ）は引き戸を開ける前に引手の引手テーパ面に手をかけた状態を示した概略図であり、（ｂ）は、（ａ）の状態から戸板を摺動させて引手テーパ面から手を逃がした状態を示す概略図である。
【図６】本考案の引手の別の実施形態を示す斜視図である。
【図７】本考案の別の実施形態（戸板が１枚）を示す引き戸の概略図である。
【図８】本考案の別の実施形態（戸板が３枚）を示す引き戸を示すもので、（ａ）は、反壁側戸板を摺動させる前の状態を示す概略図であり、（ｂ）は、引き戸を開けるために反壁側戸板を摺動させた状態を示す概略図である。
【図９】従来の引き戸、およびこの引き戸を開ける際の摺動操作を説明するためのもので、（ａ）は引き戸を開ける前の状態を示す平面図であり、（ｂ）は、（ａ）の状態から障子を摺動させて、２つの障子の間の隙間から手を引き抜いた状態を示す平面図である。
【考案を実施するための形態】
【００１６】
以下、図１〜図８（ｂ）を参照して、本考案の実施形態について説明する。
【００１７】
図１に本考案の第１の実施形態として、本考案にかかる引手およびこの引手を備えた引き戸を示す。この引き戸１は、建築物の開口部（図示省略）の形状に沿って設けられた枠（図示省略）内に取り付けられており、摺動自在に隣接して配置される２枚の戸板２、３を備える。戸板は、戸板摺動方向（図１中に矢印Ｑ、Ｒで示す方向：以下では説明の便宜上、「左右方向」とし、図２〜図８（ｂ）の説明においても同様とする）側の木口面２ａ、３ａと、この木口面２ａ、３ａから戸板摺動方向に伸び、かつ、戸板摺動方向と直交する方向（以下では説明の便宜上、「上下方向」とし、図２〜図８（ｂ）の説明においても同様とする）に広がる戸板表面２ｂ、３ｂとを有する。即ち、各戸板２、３は、木口面２ａ、３ａと戸板表面２ｂ、３ｂをそれぞれ２つずつ有している。引き戸１を閉じるのは、２枚の戸板２、３を相反する方向（戸板２はＱ方向、戸板３はＲ方向）に摺動させて、各戸板２、３の木口面２ａ、３ａのうち一方を枠に当接させることで可能である。
【００１８】
戸板２の２つの木口面２ａのうち、引き戸１を開けるために戸板２を摺動させる方向（以下、説明の便宜上、「戸板開放時摺動方向」とする）とは反対方向（以下、説明の便宜上、「戸板閉鎖時摺動方向」とする）の側の木口面２ａから一方の戸板表面２ｂにかけて、切断面がＺ字形状になるように切欠部２ｃが形成され（図４参照）ている。この切欠部２ｃに、切欠部２ｃの形状に合致する引手４が嵌め込まれ、ネジ固定されている。引手４は、図４に示すように、戸板表面２ｂ側と係合する第１フランジ４５を有し、木口面２ａ側と係合する第２フランジ４６を有してもよい。図４に示す実施形態では、引手４の第１フランジ４５は、戸板表面２ｂ側に形成された凹部２ｄに係合し、引手４の第２フランジ４６は、木口面２ａ側に形成された凹部２ｅに係合している。なお、第１フランジ４５が係合する凹部２ｄを設けずに、第１フランジ４５を戸板表面２ｂから突出するように係合させてもよい。なお、説明の便宜上図示していないが、戸板３の戸板閉鎖時摺動方向側の木口面３ａから戸板表面３ｂにかけても切欠部が形成され、この切欠部に引手４と同じ引手が取り付けられている。以下では、戸板２についてのみ説明する。
【００１９】
引手４は、特に材質は限定されないが、たとえばアルミや鉄等の金属や合成樹脂等により形成することができ、図１に示すように、木口面２ａ側および戸板表面２ｂ側に開口している。引手４は、図２に示すように、戸板表面２ｂ（図１参照）と略平行（つまり、戸板摺動方向と平行な左右方向）に形成された引手底部４１と、この引手底部４１の木口面２ａ側端部に、戸板２の上下方向（つまり、引手底部４１と直交せず、戸板摺動方向と直交する方向）に沿って全領域に、引手底部４１の木口面２ａ側端部から突出して形成された引手段部４２と、引手底部４１の木口面２ａ側端部と反対側の端部の上下方向全領域から、引手底部４１に対して鈍角を形成するように傾斜して伸びる引手テーパ面４３と、引手底部４１の上下方向両端部から引手段部４２が引手底部４１から突出する方向と同方向に伸びて、引手段部４２と引手テーパ面４３とを上下方向両端で連続させる連結壁部４４とを有する。
【００２０】
引手４の引手段部４２は、図４に示すように、断面が台形状であり、引手テーパ面４３側の端部、つまり、戸板開放時摺動方向側（図４の左側）の端部の上下方向全領域に段部垂直面４２ａが形成されている（図２〜図４参照）。この段部垂直面４２ａは、引き戸１を閉める際、手に引っ掛かって滑り止め機能を果たすため、戸板２の摺動操作、ひいては、引き戸１を閉める操作が容易になる。なお、本実施形態では、引手段部４２の形状を台形状にしているが、後述するように、引き戸１を閉める際に手を掛けることができるのであれば、引手段部４２の形状は特に限定されるものではない。
【００２１】
また、図４に示すように、引手４の引手段部４２は、木口面２ａに向かうにつれて引手段部４２の高さが低くなるように傾斜する段部テーパ面４２ｂが形成されている。この段部テーパ面４２ｂにより、引手４の木口面２ａ側の開口部を大きくできるため、引き戸１の戸板表面２ｂ側（図１参照）が、他の戸板（本実施形態では戸板３）や壁面などにより塞がれた状態であっても、木口面２ａ側の開口から引手段部４２の段部垂直面４２ａに手をかけやすくなり、戸板２の摺動操作、ひいては引き戸１を閉める操作が容易になる。そして、引き戸１を開けるために戸板２を摺動させる際、引手テーパ面４３に手を掛ける方法だけでなく、手を段部テーパ面４２ｂに掛けて行うこともでき、この場合、手を引手テーパ面４３に掛けた場合と同様、手首を段部テーパ面４２（換言すれば、引手テーパ面４３）と同方向に傾斜させることができるため、引手テーパ面４３に手を掛けて引き戸を開ける場合と同様、摺動させる戸板２と、この戸板２に隣接する戸板３との間の隙間（図５（ｂ）の隙間Ｃ）に手を入れることなく安全に引き戸１を開けることができる。なお、本実施形態では、引手段部４２は、図１〜図３に示すように、引手４の上下方向（図３における上下方向）全領域に連続して形成しているが、戸板２の上下方向に連続せずに部分的に設けてもよいし、上下方向に沿って複数箇所に形成するようにしてもよい。
【００２２】
また、図２や図４に示すように、引手テーパ面４３は、先端部から屈曲して引手段部４２と平行に伸びるテーパ面垂直部４３ａ（引っ掛かり部）を設けてもよい。このテーパ面垂直部４３ａは、引き戸１を開けるために戸板２を摺動させる際、図５（ａ）に示すように手Ｈが滑らないように固定する機能を果たすため（図５（ａ）では、手Ｈの人差し指がテーパ面垂直部４３ａに固定されている）、戸板２の摺動操作、ひいては、引き戸１を開ける操作を容易にするのに貢献する。
【００２３】
連結壁部４４（図２、図３参照）には、引手テーパ面４３の傾斜部位が伸びており、引手４を戸板２の切欠部２ｃ（図１、図４参照）にネジ取り付けするためのネジ孔４４ａが形成されている。このように、取り付け用のネジ孔４４ａが形成された連結壁部４４は傾斜しているため、図１に示すように引手４を戸板２の切欠部２ｃにネジ取り付けする際、ネジ孔４４ａにドライバーなどの締め付け部材を挿入しやすくなり、引手４を戸板２に取り付ける際の作業性が向上する。
【００２４】
次に、引き戸１の開閉動作について、図５（ａ）、（ｂ）を参照して詳細に説明する。
【００２５】
引き戸１を開けるのは、図５（ａ）に示すように、戸板２の引手４の引手テーパ面４３に手Ｈを掛けて、戸板２を矢印Ｂで示すように戸板３側へ摺動することにより可能である。
【００２６】
ここで、指先から手首にかけて、手Ｈは、引手テーパ面４３に沿うように置かれるため、矢印Ｂで示す方向へ戸板２の摺動を続けて戸板２が戸板３に近づくと、図５（ｂ）に示すように、戸板２の引手４の引手テーパ面４３に掛けていた手Ｈは、戸板２が戸板３に近づいた際、矢印Ｉで示すように、引手４から自然に引き抜くことができるため、戸板２と戸板３との間の隙間Ｃに手Ｈの指先が入り込むことがない。そのため、摺動する戸板２に手Ｈの指先が巻き込まれて、摺動させる戸板２と、この戸板２に隣接する戸板３との間で手Ｈが挟まれたり、手指の関節を痛めたりするのを確実に防止でき、複雑な構成の挟み防止機構を設けなくても簡単な構成で安全に引き戸１を開けることができる。
【００２７】
また、引き戸１を閉めるのは、図５（ｂ）に示す引き戸１を開けた状態から、段部垂直面４２ａ（図４参照）に手を掛けて、図５（ｂ）に矢印Ｑで示す方向、つまり、引き戸１を開ける時とは逆方向に戸板２を摺動させることで容易に行うことができる。
【００２８】
以上のように、本考案の引手４およびこの引手４を備えた引き戸１は、引手４の引手テーパ面４３により、引き戸１を開ける際、摺動させる戸板２と戸板３との間にできる隙間Ｃに手が入ることがなく、この隙間Ｃで手を挟むことがないため、安全に引き戸１を開けることができる。また、上述のように引手テーパ面４３により、手Ｈを挟むことを防止できるが、たとえば無理な姿勢で手Ｈを引手４に沿わせた場合であっても、引手底部４１からの引手段部４２の高さが低く、木口面２ａ側が開口しているため、手Ｈの指先を挟むことをさらに防止している。また、引き戸１を閉める際は、段部垂直面４２ａに手を掛けて、戸板２を、戸板２を開ける時とは反対の方向に摺動させることにより容易に行うことができ、従来の引き戸よりも、安全かつ容易に引き戸１の開閉操作を行うことができる。
【００２９】
なお、本実施形態では、引手４は、図１に示すように、戸板２の上下方向において部分的に設けられているが、戸板２の上下方向に沿って全領域に（戸板２の上端から下端にかけて）設けてもよいし、後述する図８（ａ）および（ｂ）に示すように、戸板表面２ｂの表面、裏面の両面に引手４を設けても良い。また、この場合、引手４を表面側と裏面側の引手４を一体的にしてもよい。
【００３０】
また、本実施形態では、引手段部４２は、引手底部４１の木口面２ａ側端部に、戸板２の上下方向に沿って全領域に亘って突出して形成しているが、引手底部４１の木口面２ａ側端部に、部分的にあるいは戸板２の上下方向に沿って複数箇所に形成してもよい。また、本実施形態では、引手テーパ面４３は、引手底部４１の木口面２ａ側端部と反対側の端部の上下方向全領域に形成しているが、引手底部４１の木口面２ａ側端部と反対側の端部に、部分的にあるいは戸板２の上下方向に沿って複数箇所に形成するようにしてもよい。
【００３１】
また、引手テーパ面４３は、図４に示されるような平面状の面に限られず、わずかに湾曲した形状のものを含み、手を引手テーパ面４３に掛けた際、手先が引手４に対して引手段部４２側（戸板閉鎖時摺動方向側）に向けて傾斜させることができるのであれば、その形状は特に限定されるものではない。また、引手テーパ面４３の鈍角は、手のひらを引手テーパ面４３に自然に掛けることができる傾斜角度であればよいが、特に１２０°〜１５０°が好ましい。
【００３２】
引手テーパ面４３に滑り止め機構を設けた引手４の他の実施形態を図６に示す。この引手４は、引手テーパ面４３に上下方向に伸びる溝４３ｂが複数形成されてなる凹凸機構Ｖ（引っ掛かり部）を有している。この凹凸機構Ｖは、図５（ａ）に示すように、引き戸１（図１参照）を開けるために手Ｈを引手テーパ面４３に掛けた際に滑り止めになるため、戸板２（図１参照）の摺動操作を容易にするのに貢献する。なお、凹凸機構Ｖは、本実施形態のように、引手テーパ面４３に上下方向に伸びる溝４３ｂを複数形成する方法以外に、引手テーパ面４３に上下方向に伸びる複数の突条や、引手テーパ面４３上に複数の突起を設けることで形成してもよい。
【００３３】
図７に本考案にかかる引き戸の第２の実施形態を示す。なお、以下の実施形態において、図１〜図５（ｂ）に示す第１の実施形態と同じ部位および機能を有する部品については同じ符号を付して詳細な説明を省略し、第１の実施形態とは異なる構成や効果についてのみ説明する。
【００３４】
本実施形態の引き戸１Ａは、１枚の戸板１２で構成されており、戸板１２の、戸板閉鎖時摺動方向側（図７の右側）の木口面１２ａから戸板表面１２ｂに跨る本考案にかかる引手４（図２参照）を備えている。戸板１２の戸板開放時摺動方向側（図７の左側）の木口面１２ａに隣接して壁Ｗが配置されている。
【００３５】
本実施形態では、引き戸１Ａを開けるのは、引手４の引手テーパ面４３に手を掛け、戸板１２を矢印Ｇで示すように壁Ｗ側へ摺動することにより行う。この場合、既述のように、手の指先は、引手段部４２側に向くため、手が戸板１２と壁Ｗとの間の隙間Ｅに入りこむことがなく、戸板１２と壁Ｗとの間で手を挟むのを防止できるため、安全に引き戸１Ａを開けることができる。
【００３６】
図８（ａ）、（ｂ）に本考案にかかる引き戸の第３の実施形態を示す。本実施形態の引き戸１Ｂは、３枚の戸板２２、２３、２４を備え、最も戸板開放時摺動方向側（図８（ａ）、（ｂ）の最も左側）の戸板２４は、戸板開放時摺動方向側の木口面２４ａ側が壁Ｗに隣接している（以下、戸板２４を壁側戸板２４とする）。
【００３７】
３つの戸板２２、２３、２４の内、最も戸板閉鎖時摺動方向側（図８（ａ）、（ｂ）の右側）の戸板２２（以下、反壁側戸板２２とする）は、戸板閉鎖時摺動方向側の木口面２２ａから反壁側戸板２２の一方の戸板表面２２ｂに跨る本考案にかかる引手４（図２参照）を備える。また、中間戸板２３は、反壁側戸板２２側の木口面２３ａと一方の戸板表面２３ｂに跨る本考案にかかる引手４、反壁側戸板２２側の木口面２３ａと他方の戸板表面２３ｂに跨る本考案にかかる引手４を備える。また、反壁側戸板２２の引手４は、引き戸１Ｂを開けるために反壁側戸板２２を矢印Ｊで示す中間戸板２３側の方向へ摺動させた際、図８（ｂ）に示すように、中間戸板２３に設けた引手４の一方と対向するようにしている。
【００３８】
引戸１Ｂを開けるために反壁側戸板２２を矢印Ｊで示す方向（壁Ｗ側方向）へ摺動させると、図８（ｂ）に示すように、中間戸板２３の一方の引手４と、反壁側戸板２２の引手４とが対向し、この対向部分により大きな隙間Ｓを形成することができる。そのため、引き戸１Ｂを閉めるために反壁側戸板２２を矢印Ｍで示す方向（壁Ｗ側とは反対側の方向）に摺動させる際、反壁側戸板２２の引手４の段部垂直面４２ａ（図４参照）に手を掛けやすくなり、反壁側戸板２２の摺動操作、ひいては引き戸１Ｂを閉める操作が容易になる。
【００３９】
以上、本考案の実施形態について記載したが、これらはあくまで例示であり、実用新案登録請求の範囲に記載の技術的思想を逸脱しない範囲で任意の変更が可能である。
【００４０】
例えば、本実施形態では、引手の素材としてアルミや鉄などの金属を使用する例を示したが、プラスチックや木材など、既述の本考案の引手および引き戸の目的とする機能を奏することができるのであれば、引手の素材はなんら限定されるものではない。また、引き戸の戸板の素材も特に限定されるものではない。
【００４１】
また、ここで挙げた実施形態では、戸板の数が１〜３枚の例を示したが、戸板の数は、引き戸としての機能を果たすのであれば、特に限定されるものではない。
【００４２】
また、ここで挙げた実施形態では、引手は、戸板の木口面から戸板表面にかけて形成した切欠部に、この切欠部の形状と合致する引手を嵌合させてネジ固定する例を示したが、戸板への引手の固定は、ネジ固定に限定されず、嵌合、釘固定、接着等、公知の固定方法を用いることができる。
【符号の説明】
【００４３】
１、１Ａ、１Ｂ  引き戸
２、３、１２  戸板
２２  反壁側戸板
２３  中間戸板
２４  壁側戸板
２ａ、３ａ、１２ａ、２２ａ、２３ａ、２４ａ  木口面
２ｂ、３ｂ、１２ｂ、２２ｂ、２３ｂ  戸板表面
２ｃ  切欠部
２ｄ、２ｅ  凹部
４  引手
４１  引手底部
４２  引手段部
４２ａ  段部垂直面
４２ｂ  段部テーパ面
４３  引手テーパ面
４３ａ  テーパ面垂直部
４３ｂ  溝
４４  連結壁部
４４ａ  ネジ孔
４５  第１フランジ
４６  第２フランジ
Ｈ  手
Ｖ  凹凸機構
Ｗ  壁
【図１】
0003173960.tif 000003
【図２】
0003173960.tif 000004
【図３】
0003173960.tif 000005
【図４】
0003173960.tif 000006
【図５】
0003173960.tif 000007
【図６】
0003173960.tif 000008
【図７】
0003173960.tif 000009
【図８】
0003173960.tif 000010
【図９】
0003173960.tif 000011